【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
コンピュータにより実施される方法であって、
クライアントデバイスの指紋採取装置がユーザから第１のユーザ入力を受信し前記クライアントデバイスのタッチ式仮想キーを含む所定のキーが第２のユーザ入力を受信するロックモードにある、生体認証状態の前記クライアントデバイスで、生体情報を受信するステップであって、前記指紋採取装置と前記所定のキーを同時にアクティブ化することは、情報画像の表示をトリガするパスワードとして予め指定される、ステップと；
前記受信した生体情報が、複数の格納された所定の生体情報内の所定の生体情報と一致するかどうかを特定するステップと；
前記受信した生体情報が、前記格納された所定の生体情報のうちの１つと一致すると特定したことに応答して、前記格納された所定の生体情報に対応するアプリケーションのインターフェースを示すデータを検索するステップと；
前記アプリケーションの前記インターフェースを示す前記データを含む前記情報画像を、前記クライアントデバイスがロックモードにある間に、前記クライアントデバイスの表示画面上に所定期間表示するステップであって、前記情報画像は、決済バーコードのリアルタイムで生成された動的可変画像である、ステップと；
前記所定期間経過後、前記クライアントデバイスが前記ロックモードにある間に、前記アプリケーションの前記インターフェースを示す前記データを含む前記情報画像を表示画面から消去するステップと；を備える、
コンピュータにより実施される方法。
【請求項２】
前記ロックモードは、前記クライアントデバイスのスリープモードと待機モードの少なくとも一方を含む、
請求項１に記載の方法。
【請求項３】
前記アプリケーションの前記インターフェースを示す前記データを表示するステップは、
前記アプリケーションの前記インターフェースを示す前記データを、前記クライアントデバイスを稼働したり前記クライアントデバイスのロックを解除したりすることなく、前記クライアントデバイスが前記ロックモードにある間に、前記クライアントデバイスの表示画面上に所定期間表示するステップを備える、
請求項１に記載の方法。
【請求項４】
前記アプリケーションの前記インターフェースを示す前記データを、前記クライアントデバイスが作業モード及びロックモードにある間に、前記クライアントデバイスの表示画面上に所定期間表示するステップを更に備える、
請求項１に記載の方法。
【請求項５】
受信した前記生体情報が、前記クライアントデバイスのロックを解除するものか、前記アプリケーションの前記インターフェースを示す前記データを前記表示画面に表示するものかを示す、前記生体情報を受信する時間を特定するステップを更に備える、
請求項１に記載の方法。
【請求項６】
前記生体情報を受信する時間を特定するステップは、
前記時間を所定の記憶された時間と比較するステップと；
前記時間が前記所定の記憶された時間よりも短いと特定されたことに応答して、前記クライアントデバイスのロックを解除するステップと；
前記時間が前記所定の記憶された時間よりも長いと特定されたことに応答して、前記表示画面上に前記アプリケーションの前記インターフェースを示す前記データを表示するための要求を受信するステップと；を備える、
請求項５に記載の方法。
【請求項７】
前記クライアントデバイスで前記ユーザから前記生体情報を受信する間に、前記クライアントデバイスでボタンが押下された旨の指示を受信するステップと；
前記クライアントデバイスで前記ユーザから前記生体情報を受信する間に、前記クライアントデバイスで前記ボタンが押下されたことに応答して、記憶された所定の生体情報に対応する前記アプリケーションの前記インターフェースを示す前記データを取得して表示するステップと；を更に備える、
請求項１に記載の方法。
【請求項８】
所定の操作を実行するためにコンピュータシステムによって実行可能な１又は複数の命令を格納する非一時的なコンピュータ読取可能媒体であって、前記操作は、
クライアントデバイスの指紋採取装置がユーザから第１のユーザ入力を受信し前記クライアントデバイスのタッチ式仮想キーを含む所定のキーが第２のユーザ入力を受信するロックモードにある、生体認証状態の前記クライアントデバイスで、生体情報を受信するステップであって、前記指紋採取装置と前記所定のキーを同時にアクティブ化することは、情報画像の表示をトリガするパスワードとして予め指定される、ステップと；
前記受信した生体情報が、複数の格納された所定の生体情報内の所定の生体情報と一致するかどうかを特定するステップと；
前記受信した生体情報が、前記格納された所定の生体情報のうちの１つと一致すると特定したことに応答して、前記格納された所定の生体情報に対応するアプリケーションのインターフェースを示すデータを検索するステップと；
前記アプリケーションの前記インターフェースを示す前記データを含む前記情報画像を、前記クライアントデバイスがロックモードにある間に、前記クライアントデバイスの表示画面上に所定期間表示するステップであって、前記情報画像は、決済バーコードのリアルタイムで生成された動的可変画像である、ステップと；
前記所定期間経過後、前記クライアントデバイスが前記ロックモードにある間に、前記アプリケーションの前記インターフェースを示す前記データを含む前記情報画像を表示画面から消去するステップと；を備える、
非一時的なコンピュータ読取可能媒体。
【請求項９】
前記ロックモードは、前記クライアントデバイスのスリープモードと待機モードの少なくとも一方を含む、
請求項８に記載の非一時的なコンピュータ読取可能媒体。
【請求項１０】
前記アプリケーションの前記インターフェースを示す前記データを表示するステップは、
前記アプリケーションの前記インターフェースを示す前記データを、前記クライアントデバイスを稼働したり前記クライアントデバイスのロックを解除したりすることなく、前記クライアントデバイスが前記ロックモードにある間に、前記クライアントデバイスの表示画面上に所定期間表示するステップを備える、
請求項８に記載の非一時的なコンピュータ読取可能媒体。
【請求項１１】
前記アプリケーションの前記インターフェースを示す前記データを、前記クライアントデバイスが作業モード及びロックモードにある間に、前記クライアントデバイスの表示画面上に所定期間表示するステップを更に備える、
請求項８に記載の非一時的なコンピュータ読取可能媒体。
【請求項１２】
受信した前記生体情報が、前記クライアントデバイスのロックを解除するものか、前記アプリケーションの前記インターフェースを示す前記データを前記表示画面に表示するものかを示す、前記生体情報を受信する時間を特定するステップを更に備える、
請求項８に記載の非一時的なコンピュータ読取可能媒体。
【請求項１３】
前記生体情報を受信する時間を特定するステップは、
前記時間を所定の記憶された時間と比較するステップと；
前記時間が前記所定の記憶された時間よりも短いと特定されたことに応答して、前記クライアントデバイスのロックを解除するステップと；
前記時間が前記所定の記憶された時間よりも長いと特定されたことに応答して、前記表示画面上に前記アプリケーションの前記インターフェースを示す前記データを表示するための要求を受信するステップと；を備える、
請求項１２に記載の非一時的なコンピュータ読取可能媒体。
【請求項１４】
前記クライアントデバイスで前記ユーザから前記生体情報を受信する間に、前記クライアントデバイスでボタンが押下された旨の指示を受信するステップと；
前記クライアントデバイスで前記ユーザから前記生体情報を受信する間に、前記クライアントデバイスで前記ボタンが押下されたことに応答して、記憶された所定の生体情報に対応する前記アプリケーションの前記インターフェースを示す前記データを取得して表示するステップと；を更に備える、
請求項８に記載の非一時的なコンピュータ読取可能媒体。
【請求項１５】
コンピュータにより実施されるシステムであって、
１又は複数のコンピュータと；
前記１又は複数のコンピュータと相互運用可能に結合され、前記１又は複数のコンピュータによって実行される１又は複数の操作を実行する１又は複数の命令を格納する有形の非一時的な機械読取可能媒体を備える１又は複数のコンピュータメモリデバイスであって、前記操作は、
クライアントデバイスの指紋採取装置がユーザから第１のユーザ入力を受信し前記クライアントデバイスのタッチ式仮想キーを含む所定のキーが第２のユーザ入力を受信するロックモードにある、生体認証状態の前記クライアントデバイスで、生体情報を受信するステップであって、前記指紋採取装置と前記所定のキーを同時にアクティブ化することは、情報画像の表示をトリガするパスワードとして予め指定される、ステップと；
前記受信した生体情報が、複数の格納された所定の生体情報内の所定の生体情報と一致するかどうかを特定するステップと；
前記受信した生体情報が、前記格納された所定の生体情報のうちの１つと一致すると特定したことに応答して、前記格納された所定の生体情報に対応するアプリケーションのインターフェースを示すデータを検索するステップと；
前記アプリケーションの前記インターフェースを示す前記データを含む前記情報画像を、前記クライアントデバイスがロックモードにある間に、前記クライアントデバイスの表示画面上に所定期間表示するステップであって、前記情報画像は、決済バーコードのリアルタイムで生成された動的可変画像である、ステップと；
前記所定期間経過後、前記クライアントデバイスが前記ロックモードにある間に、前記アプリケーションの前記インターフェースを示す前記データを含む前記情報画像を表示画面から消去するステップと；を備える、前記１又は複数のコンピュータメモリデバイスと；を備える、
コンピュータにより実施されるシステム。
【請求項１６】
前記ロックモードは、前記クライアントデバイスのスリープモードと待機モードの少なくとも一方を含む、
請求項１５に記載のシステム。
【請求項１７】
前記アプリケーションの前記インターフェースを示す前記データを表示するステップは、
前記アプリケーションの前記インターフェースを示す前記データを、前記クライアントデバイスを稼働したり前記クライアントデバイスのロックを解除したりすることなく、前記クライアントデバイスが前記ロックモードにある間に、前記クライアントデバイスの表示画面上に所定期間表示するステップを備える、
請求項１５に記載のシステム。
【請求項１８】
受信した前記生体情報が、前記クライアントデバイスのロックを解除するものか、前記アプリケーションの前記インターフェースを示す前記データを前記表示画面に表示するものかを示す、前記生体情報を受信する時間を特定するステップを更に備える、
請求項１５に記載のシステム。